(57)【要約】【課題】飲料パッケージ内に収容した飲料の冷却保冷及び加温保温を良好に行う。【解決手段】飲料を取り出す上部開口を有し内部に飲料を収容可能な容器本体部と、上部開口を閉塞する容器蓋体とを備えた飲料容器で、容器本体部の底面側から容器本体部の内部に突出するように形成されかつ冷温剤を収納可能な冷温剤収納部を備える。冷温剤収納部は、上端が閉塞され、容器本体部の底面部に開口して冷温剤を装填可能とする下部開口を下端に有する冷温剤収納室と、下部開口を閉塞する下部蓋体とを備える。ペットボトル、ガラス瓶及び缶等を構成できる。冷温剤収納部には、例えば氷や湯を入れる。下部開口に接続して冷温剤収納室を増設するアタッチメントを備えても良い。【選択図】図４
2008239246.tif 000002
【特許請求の範囲】
【請求項１】
飲料を取り出す上部開口を有し内部に飲料を収容可能な容器本体部と、
前記上部開口を閉塞する容器蓋体と、
を備えた飲料容器であって、
前記容器本体部の底面側から前記容器本体部の内部に突出するように形成されかつ冷温剤を収納可能な冷温剤収納部を備えた
ことを特徴とする飲料容器。
【請求項２】
前記冷温剤収納部は、
上端が閉塞される一方、前記容器本体部の底面部に開口して前記冷温剤を装填することを可能とする下部開口を下端に有する冷温剤収納室と、
前記下部開口を閉塞する下部蓋体と、
を備える請求項１に記載の飲料容器。
【請求項３】
前記下部蓋体は、前記下部開口と対向して当該下部開口を塞ぐ底板部を備え、
この底板部が、可撓性を有すると共に、下方に膨らむように湾曲しており、
当該底板部を冷温剤収納室内へ向け押圧することにより凹ませることが出来る一方、当該押圧力を取り除くことにより元位置に復帰可能である
請求項２に記載の飲料容器。
【請求項４】
前記下部蓋体は、
前記下部開口を閉塞する一方、破断可能である閉塞シートと、
この閉塞シートの下部に形成されかつ前記冷温剤収納室に装填される冷温剤への添加剤を収納可能な添加剤収納室と、
を備え、
前記閉塞シートを破断することにより前記冷却剤収納室内に装填された冷温剤に対して前記添加剤を混合することを可能とした
請求項２に記載の飲料容器。
【請求項５】
前記添加剤収納室を形成する底板部が可撓性を有し、
当該底板部を押圧して変形させることにより前記閉塞シートを破断可能とした
請求項４に記載の飲料容器。
【請求項６】
前記添加剤収納室に、融点降下剤を収納した
請求項４または５に記載の飲料容器。
【請求項７】
前記融点降下剤は、塩化ナトリウムを主成分とするものである
請求項６に記載の飲料容器。
【請求項８】
前記融点降下剤は、錠剤または水溶性カプセルに装填されたものである
請求項６または７に記載の飲料容器。
【請求項９】
前記融点降下剤は、顆粒または粉末であり、
前記閉塞シートを破断可能な剛性を有するトレイを前記添加剤収納室に配し、このトレイに前記融点降下剤を収納した
請求項６または７に記載の飲料容器。
【請求項１０】
前記トレイは、
前記添加剤収納室の一端部において支持軸により回動自在に支持されており、
前記底板部を押圧して変形させると前記支持軸を中心として回動し、これにより前記閉塞シートを破断する
請求項９に記載の飲料容器。
【請求項１１】
前記トレイの上面部に、前記支持軸が設けられたトレイの一端部からトレイの略中心部に向け略水平に張り出すシート破断刃を備え、
これにより、前記支持軸を中心とした前記トレイの回動動作に伴い、前記シート破断刃が前記閉塞シートを破断する
請求項１０に記載の飲料容器。
【請求項１２】
前記シート破断刃は、前記トレイの中心部に向け先端が尖った略扇型の平面形状を有する
請求項１１に記載の飲料容器。
【請求項１３】
前記冷温剤収納部は、
上端が閉塞される一方、前記容器本体部の底面部に開口して前記冷温剤を装填することを可能とする下部開口を下端に有する冷温剤収納室と、
前記下部開口を閉塞する下部栓体と、
を備える請求項１に記載の飲料容器。
【請求項１４】
前記冷温剤収納室の内部空間に略一致する形状を有する保冷剤本体部と、この保冷剤本体部の下部に配されかつ前記下部開口に係止可能な係止部とを有する保冷剤
をさらに備えた請求項１に記載の飲料容器。
【請求項１５】
前記冷温剤収納室は、前記容器本体部と一体成形により形成されている
請求項２から１３のいずれか一項に記載の飲料容器。
【請求項１６】
前記冷温剤収納室は、前記上部開口に達しない範囲で前記容器本体部の２分の１以上の高さを有する
請求項２から１５のいずれか一項に記載の飲料容器。
【請求項１７】
前記冷温剤収納室の側壁に、容器本体部に収容された飲料との熱交換効率を高める凹凸を備えた
請求項２から１６のいずれか一項に記載の飲料容器。
【請求項１８】
前記容器本体部および前記冷温剤収納室は樹脂材料からなり、かつ
前記容器本体部がペットボトルと略同一の外形を有する
請求項２から１７のいずれか一項に記載の飲料容器。
【請求項１９】
前記容器本体部および前記冷温剤収納室は金属材料からなり、かつ
前記容器本体部が飲料缶と略同一の外形を有する
請求項２から１７のいずれか一項に記載の飲料容器。
【請求項２０】
前記容器本体部および前記冷温剤収納室はガラス材料からなり、かつ
前記容器本体部が飲料ビンと略同一の外形を有する
請求項２から１７のいずれか一項に記載の飲料容器。
【請求項２１】
前記容器本体部の上端部に、前記上部開口を備えかつ径が細くなったネック部を有し、
このネック部に、前記容器本体部と相対回転可能に配した回転リングを備え、
この回転リングを把持することにより、当該飲料容器を回転自在に支持可能とした
請求項２から２０のいずれか一項に記載の飲料容器。
【請求項２２】
前記回転リングは、前記容器蓋体より外径が大きく、前記容器蓋体の外周面より外方へ張り出している
請求項２１に記載の飲料容器。
【請求項２３】
前記回転リングが、前記容器蓋体を封止する封止リングを兼ねる
請求項２１または２２に記載の飲料容器。
【請求項２４】
飲料を取り出す上部開口を有し内部に飲料を収容可能な容器本体部と、
前記上部開口を閉塞する容器蓋体と、
を備えた飲料容器であって、
前記容器本体部の底面側から前記容器本体部の内部に突出するように形成されかつ冷却剤を収納可能な冷却剤収納部をさらに備え、
当該冷却剤収納部は、
前記容器本体部の底面部に下部開口を備えて当該下部開口から、圧縮ガスが充填されたガスボンベを格納可能なボンベ格納部と、
このボンベ格納部の上部に配置されて上端が閉塞される一方、前記ボンベ収納部に格納されたガスボンベに連通可能なガス導入口を下端部に備え、かつこのガス導入口を通じて前記ガスボンベからのガスを内部に導入可能な冷却室と、
を備えた飲料容器。
【請求項２５】
前記冷却室は、前記上部開口に達しない範囲で前記容器本体部の２分の１以上の高さを有する
請求項２４に記載の飲料容器。
【請求項２６】
前記冷却室の側壁に、容器本体部に収容された飲料との熱交換効率を高める凹凸を備えた
請求項２４または２５に記載の飲料容器。
【請求項２７】
前記容器本体部および前記冷却室は樹脂材料からなり、かつ
前記容器本体部がペットボトルと略同一の外形を有する
請求項２４から２６のいずれか一項に記載の飲料容器。
【請求項２８】
前記容器本体部および前記冷却室は金属材料からなり、かつ
前記容器本体部が飲料缶と略同一の外形を有する
請求項２４から２６のいずれか一項に記載の飲料容器。
【請求項２９】
前記容器本体部および前記冷却室はガラス材料からなり、かつ
前記容器本体部が飲料ビンと略同一の外形を有する
請求項２４から２６のいずれか一項に記載の飲料容器。
【請求項３０】
飲料を取り出す上部開口を有し内部に飲料を収容可能な容器本体部と、前記上部開口を閉塞する容器蓋体と、冷温剤を内部に収納可能でかつ前記容器本体部の底面側から前記容器本体部の内部に突出するように形成されかつ上端が閉塞されかつ前記容器本体部の底面部に開口して前記冷温剤を装填することを可能とする下部開口を下端に有する冷温剤収納室とを備える飲料容器の、底面部に装着して前記冷温剤収納室を拡張する飲料容器用アタッチメントであって、
前記飲料容器の底面部に係合して当該アタッチメントを前記飲料容器に支持可能とする係合手段と、
内部に冷温剤を装填可能でかつ前記下部開口を通じて前記冷温剤収納室と連通する拡張室と、
を備えたことを特徴とする飲料容器用アタッチメント。
【請求項３１】
前記飲料容器の下部開口部に螺子が形成されており、
前記係合手段は、当該下部開口部の螺子に螺合可能な螺子を備える
請求項３０に記載の飲料容器用アタッチメント。
【請求項３２】
前記拡張室内に装填される冷温剤へ添加する添加剤を収納可能な添加剤収納室をさらに備え、
この添加剤収納室内に収納された添加剤を、前記拡張室内に装填された冷温剤に対して混合することを可能とした
請求項３０または３１に記載の飲料容器用アタッチメント。
【請求項３３】
前記添加剤収納室は、
当該アタッチメントの底面部に備えられ、
当該添加剤収納室と前記拡張室とを隔てる破断可能な閉塞シートを上面部に備える一方、
可撓性を有する底板部を当該アタッチメントの底面に備え、
前記底板部を押圧して変形させることにより前記閉塞シートを破断可能とした
請求項３２に記載の飲料容器用アタッチメント。
【請求項３４】
前記添加剤収納室に、融点降下剤を収納した
請求項３２または３３に記載の飲料容器用アタッチメント。
【請求項３５】
前記融点降下剤は、塩化ナトリウムを主成分とするものである
請求項３４に記載の飲料容器用アタッチメント。
【請求項３６】
前記融点降下剤は、錠剤または水溶性カプセルに装填されたものである
請求項３４または３５に記載の飲料容器用アタッチメント。
【請求項３７】
前記融点降下剤は、顆粒または粉末であり、
前記閉塞シートを破断可能な剛性を有するトレイを前記添加剤収納室に配し、このトレイに前記融点降下剤を収納した
請求項３４または３５に記載の飲料容器用アタッチメント。
【請求項３８】
前記拡張室の外周面に断熱材を備えた
請求項３０から３７のいずれか一項に記載の飲料容器用アタッチメント。
【請求項３９】
飲料を取り出す上部開口を有し内部に飲料を収容可能な容器本体部と、前記上部開口を閉塞する容器蓋体と、冷温剤を内部に収納可能でかつ前記容器本体部の底面側から前記容器本体部の内部に突出するように形成されかつ上端が閉塞されかつ前記容器本体部の底面部に開口して前記冷温剤を装填することを可能とする下部開口を下端に有する冷温剤収納室とを備える飲料容器と、
前記請求項３０から３８のいずれか一項に記載の飲料容器用アタッチメントと、
を備えた飲料容器。
【請求項４０】
請求項１から２９、および請求項３９のうちのいずれか一項に記載の飲料容器の容器本体部に飲料を収納した容器入り飲料。
【発明の詳細な説明】
【技術分野】
【０００１】
本発明は、飲料容器に係り、特にペットボトルや金属缶などの容器内に収容した飲料を冷却（保冷）し又は加温（保温）することが出来る飲料容器構造に関する。
【背景技術】
【０００２】
今日、コンビニエンスストアやスーパーマーケット、鉄道キヨスクなどの小売店、自動販売機等で様々な飲料商品が販売されている。例えば、果実飲料（ジュース）、乳清飲料、ミネラルウォーター、茶類（緑茶・紅茶・烏龍茶・麦茶など）等の清涼飲料、あるいはビール、発泡酒、ワイン、チューハイ、カクテル類、日本酒、焼酎、リキュール、ウイスキー等のアルコール飲料などである。
【０００３】
一方、これら飲料商品を提供するための個装形態としては、ペットボトルに代表される樹脂製ボトル、スチール缶・アルミ缶などの金属缶容器、ガラスビン、紙パックなどの個装パッケージが使用されている。さらに、これら飲料商品は常温で提供されることもあるが、多くの場合、冷却されるか加温されるかのいずれかの状態で需要者に販売され飲用に供される。飲料を冷やし或いは温めることによって当該飲料の味・風味を増大させ、さらに清涼感や温感（温か味）を楽しむことが出来るからである。
【０００４】
また、このような飲料商品を冷却し又は加温する手段を提案するものとして下記特許文献がある。
【特許文献１】特開２００６‐５２００８号公報
【特許文献２】特開２００２‐２７７１３２号公報
【特許文献３】特開２００１‐２０８４６５号公報
【特許文献４】特開平８‐６１８１９号公報
【発明の開示】
【発明が解決しようとする課題】
【０００５】
ところで、従来の飲料パッケージはペットボトル・金属缶・ガラスビン・紙パックのいずれにあっても保冷保温性の点で十分とは言えず、飲んでいる最中にも冷やした飲料が温まり、あるいは温めた飲料が冷めてしまうことが少なくない。特に、冷たい飲み物が美味しく感じられる夏場は気温が高く、逆に、暖かい飲み物が喜ばれる冬場は気温が低いから、夏場冷やした飲料は容易に温まってしまい、冬場温めた飲料は直ぐに冷めてしまう。
【０００６】
一方、冷やし又は温めた飲料を保冷保温する手段として、例えば断熱材を備えたバッグ（保冷バッグ・保温バッグ）が使用され、また上記特許文献のような各種の保温保冷機器が提案されている。
【０００７】
ところが、これら従来の保冷保温バッグや上記特許文献２〜４記載の発明では、バッグや機器類（保温保冷器）を別途用意しなければならない煩わしさがあり利便性を欠く。他方、上記特許文献１の発明は、容器自体に保温保冷機構を付加するものであるから、飲料と別に用具類を準備する煩わしさはない。しかしながら、この特許文献１の容器構造は、外部との熱伝導を遮断するに留まるもので、容器自体で飲料を積極的に冷却加温することは出来ず、保冷保温効果の点でも十分なものとは言えない。
【０００８】
したがって、本発明の目的は、飲料パッケージ内に収容した飲料の冷却・保冷および加温・保温をより一層良好に行うことが出来る新たな飲料容器構造を得る点にある。
【課題を解決するための手段】
【０００９】
前記課題を解決し目的を達成するため、本発明に係る第一の飲料容器は、飲料を取り出す上部開口を有し内部に飲料を収容可能な容器本体部と、上部開口を閉塞する容器蓋体とを備えた飲料容器であって、容器本体部の底面側から容器本体部の内部に突出するように形成されかつ冷温剤を収納可能な冷温剤収納部を備えたものである。
【００１０】
本発明の第一の飲料容器では、飲料は上記容器本体部に収容される。この容器本体部は上部開口を備え、さらにこの上部開口を閉塞する蓋体（容器蓋体）を当該飲料容器は備えている。容器本体部から飲料を取り出すには、容器蓋体を開け、上部開口を通じてこれを行えば良い。
【００１１】
なお、上記容器本体部、上部開口ならびに容器蓋体は、例えば従来から提供されている樹脂製ボトル（ペットボトル等）、飲料用ガラスビン、円筒形の飲料缶（アルミ缶、スチール缶その他の金属製の缶を含む。２ピース缶が望ましいが、３ピース缶やボトル形状の缶であっても構わない）、ペットボトルのように上端に径が細くなったネック部を有する飲料缶（いわゆるスタイニーボトル、あるいはペットボトル型の金属缶ボトル／アルミニウムその他の金属材料からなるもの）、飲料用の紙製容器（紙パック）と同様の外形形状および構造を有するものであって良い。これら既存の飲料容器と同様の外形形状とすることにより、現在存在する商品陳列棚や自動販売機をそのまま変更することなく利用することが出来る利点がある。
【００１２】
一方、本発明の第一の飲料容器は、従来の飲料容器と異なり、容器本体部の底面側から容器本体部の内部に突出するように形成した冷温剤収納部を備えている。この冷温剤収納部は、冷温剤を収納するものである。
【００１３】
ここで、「冷温剤」とは、常温より温度が低いか又は常温より温度が高い物質で、容器本体部に収納した飲料と間で熱交換を行うことが可能なものを云う。この冷温剤は特定のものに特に限定されず、飲料を冷却しあるいは加温することが可能な材料を広く含む。冷却に使用する冷温剤（以下、冷却剤ということがある）の一例を述べれば、例えば氷や保冷剤が挙げられる。また、氷の凝固点（融点）を下げることが可能な物質（例えば塩化ナトリウム等）を氷と共に使用しても良く、これによれば冷却効率を高めることが出来る。
【００１４】
冷温剤として保冷剤を使用する場合には、例えば上記飲料容器を、冷温剤収納室の内部空間に略一致する形状を有する保冷剤本体部と、この保冷剤本体部の下部に配されかつ下部開口に係止可能な係止部とを有する保冷剤をさらに備えるものとすれば良い。また、圧縮ガスも本発明に云う冷温剤に含まれる。この場合、例えば、後に述べる本発明の第二の飲料容器のような構造を有するものとすれば良い。
【００１５】
他方、加温に使用する冷温剤（以下、加温剤ということがある）の一例を述べれば、例えば湯が挙げられる。また、２以上の物質を混合させることにより発熱する各種の発熱物質を冷温剤（加温剤）として使用することも可能である。
【００１６】
また本発明には、未だ冷やしてない（例えば常温以上の状態にある）飲料を冷やす操作である「冷却」と、既に冷やしてある（例えば常温より低い状態にある）飲料を冷却状態に維持する「保冷」との双方の概念が含まれる。同様に、未だ温めてない（例えば常温以下の状態にある）飲料を温める「加温」と、既に温めてある（例えば常温より高い状態にある）飲料を加温状態に維持する「保温」との双方の概念を本発明は含む。
【００１７】
本発明の容器に収容する飲料の種類は、特に問わない。一例を挙げれば、果実飲料（ジュース）・ミネラルウォーター・茶類（緑茶・紅茶・烏龍茶・麦茶など）・乳清飲料等の清涼飲料、ビール・発泡酒・ワイン・チューハイ・カクテル類・日本酒・焼酎・リキュール・ウイスキー等のアルコール飲料、ヨーグルト・ゼリー・ゼリー状サプリメント等の流動状食品が含まれる。
【００１８】
上記本発明の飲料容器では、上端が閉塞される一方、容器本体部の底面部に開口して冷温剤を装填することを可能とする下部開口を下端に有する冷温剤収納室と、下部開口を閉塞する下部蓋体または下部栓体とを冷温剤収納部が備えるようにしても良い。また、冷温剤収納室を容器本体部と一体成形することが出来る。このように冷温剤収納室と容器本体部とを一体成形すれば、簡便な操作で低コストに本発明の飲料容器を製造できる利点がある。
【００１９】
上記冷温剤収納室は、上部開口に達しない範囲で容器本体部の２分の１以上の高さを有することが望ましい。容器本体部に収容した飲料の冷却または加温効率を高めるためである。さらに同様の理由から、冷温剤収納室の側壁に、容器本体部に収容された飲料との熱交換効率を高める凹凸を備えるようにしても良い。この凹凸の形状は、冷温剤収納室の表面積を増大させることが可能なものであれば特に問わず、例えば襞状（フィン状）または突起状その他の構造であっても構わない。
【００２０】
下部蓋体は、下部開口と対向して当該下部開口を塞ぐ底板部を備え、この底板部が、可撓性を有すると共に、下方に膨らむように湾曲しており、当該底板部を冷温剤収納室内へ向け押圧することにより凹ませることが出来る一方、当該押圧力を取り除くことにより元位置に復帰可能である場合がある。
【００２１】
このような下部蓋体を備えれば、下部蓋体の底板部を例えば指で繰り返し押圧することにより、冷温剤収納室内に収容した冷温剤を攪拌し、飲料の冷却または加温効率を向上させることが出来る。
【００２２】
また下部蓋体が、前記下部開口を閉塞する一方で破断可能である閉塞シートと、この閉塞シートの下部に形成されかつ前記冷温剤収納室に装填される冷温剤への添加剤を収納可能な添加剤収納室とを備え、前記閉塞シートを破断することにより前記冷却剤収納室内に装填された冷温剤に対して前記添加剤を混合することを可能としたものであっても良い。
【００２３】
このような容器構造によれば、冷却効率または加温効率を高める各種の添加剤を添加することで、冷温剤収納室に装填した冷温剤の温度を下降または上昇させ、容器本体部に収容した飲料をより一層低温または高温にすることが出来る。
【００２４】
上記添加剤としては、例えば融点降下剤である塩化ナトリウムを使用することができ、これを冷温剤としての氷に対して加えれば、氷の融点を下げ、冷温剤収納室内の温度をより一層低下させて飲料を急速にまた低温度に冷やすことが可能となる。また、加温剤を使用する場合（飲料を温める場合）には、当該加温剤に加えて発熱する物質を上記添加剤として使用することが出来る。
【００２５】
また、上記容器構造では、添加剤収納室を形成する底板部が可撓性を有し、この底板部を押圧して変形させることにより上記閉塞シートを破断可能とする場合がある。このような構造によれば、融点降下剤が錠剤または水溶性カプセルに装填されたものである場合には、当該融点降下剤自体が剛性を有するため、上記添加剤収納室の底板部を押圧すれば、融点降下剤によって閉塞シートを破ることができ、上記下部開口を通じて冷温剤収納室に融点降下剤を送り込むことが出来る。
【００２６】
一方、融点降下剤が顆粒または粉末である場合には、閉塞シートを破断可能な剛性を有するトレイを添加剤収納室に配してこのトレイに融点降下剤を収納しておけば良い。このようなトレイを使用すれば、融点降下剤が顆粒状または粉末状であっても、同様に添加剤収納室の底板部を押圧し、当該トレイによって閉塞シートを破ることで融点降下剤を冷温剤収納室に送り込むことが出来る。
【００２７】
さらに上記本発明の飲料容器では、容器本体部の上端部に、前記上部開口を備えかつ径が細くなったネック部を有し、このネック部に、容器本体部と相対回転可能に配した回転リングを備え、この回転リングを把持することにより当該飲料容器を回転自在に支持できるようにしても良い。このようなリングを設けるのは次の理由による。
【００２８】
冷温剤収納室に収納した冷温剤は、容器本体部内の飲料と熱交換を行うが、時間経過と共に冷温剤収納室の壁面近くに（壁面に沿って）飲料と温度が近い冷温剤の層（いわゆる境界層）が出来てしまい、冷却（又は加温）効率が低下する。このような冷却（又は加温）効率の低下を防ぐには、冷温剤収納室内の冷温剤を攪拌する必要がある。この攪拌操作は、容器本体部内の飲料が発泡性を有するもの（例えば炭酸飲料やビールなど）でなければ、単純に容器を手で持って上下に振れば済む。しかしながら、飲料が発泡性を有する場合には、容器蓋体を開けた場合に飲料が噴き出すおそれがあるため容器を振ることは好ましくない。そこで、本発明では、上記のような回転リングを設け、このリングを例えば指でつまんで支持し、容器を回転させることで冷温剤を攪拌することを可能とした。これにより上記境界層が生じることを防ぎ、冷却（又は加温）効率の低下を防止することが出来る。
【００２９】
上記回転リングは、容器蓋体より外径が大きく、容器蓋体の外周面より外方へ張り出したものとしても良い。回転リングを把持しやすくするためである。また、当該回転リングが容器蓋体を封止する封止リングを兼ねるようにしても良い。これによれば、当該飲料容器の部品点数を増やすことなく、回転リングを飲料容器に備えることが可能となる。なおこの場合には、当該回転リングの幅を既存の封止リングと比べて広くすることが、当該回転リングを掴みやすく点で好ましい。また上記回転リングは、例えば容器蓋体の下部位置に（容器蓋体に隣接してその下部位置に）配置すれば良い。
【００３０】
本発明の第二の飲料容器は、飲料を取り出す上部開口を有し内部に飲料を収容可能な容器本体部と、前記上部開口を閉塞する容器蓋体とを備えた飲料容器であって、前記容器本体部の底面側から前記容器本体部の内部に突出するように形成されかつ冷却剤を収納可能な冷却剤収納部をさらに備え、当該冷却剤収納部は、前記容器本体部の底面部に下部開口を備えて当該下部開口から、圧縮ガスが充填されたガスボンベを格納可能なボンベ格納部と、このボンベ格納部の上部に配置されて上端が閉塞される一方、前記ボンベ収納部に格納されたガスボンベに連通可能なガス導入口を下端部に備え、かつこのガス導入口を通じて前記ガスボンベからのガスを内部に導入可能な冷却室とを備える。
【００３１】
本発明の第二の飲料容器では、冷温剤（冷却剤）として圧縮ガスを使用する。圧縮ガスを充填したガスボンベは、容器本体部の底面部に設けた下部開口からボンベ格納部に装填される。このボンベ格納部の上部には冷却室を設けてあり、ボンベ格納部へガスボンベを装填すると、冷却室の下端部に設けたガス導入口を通じてガスボンベ内の圧縮ガスが冷却室に放出され、これにより冷却室が冷却されて容器本体部内の飲料と熱交換が行われ、容器本体部内の飲料が冷やされる。
【００３２】
この第二の飲料容器でも、容器本体部に収容した飲料の冷却または加温効率を高めるため、前記第一の飲料容器と同様に、冷却室は上部開口に達しない範囲で容器本体部の２分の１以上の高さを有するものとすることが望ましい。また、容器本体部に収容された飲料との熱交換効率を高める凹凸を冷却室の側壁に備えても良い。
【００３３】
容器本体部についても、前記第一の飲料容器と同様に、容器本体部、上部開口ならびに容器蓋体は、例えば従来から提供されている樹脂製ボトル（ペットボトル等）、飲料用ガラスビン、飲料用缶、飲料用の紙製容器（紙パック）と同様の外形形状および構造を有するものとすることが可能である。
【００３４】
一方、本発明に係る飲料容器用アタッチメントは、飲料を取り出す上部開口を有し内部に飲料を収容可能な容器本体部と、前記上部開口を閉塞する容器蓋体と、冷温剤を内部に収納可能でかつ前記容器本体部の底面側から前記容器本体部の内部に突出するように形成されかつ上端が閉塞されかつ前記容器本体部の底面部に開口して前記冷温剤を装填することを可能とする下部開口を下端に有する冷温剤収納室とを備える飲料容器の、底面部に装着して前記冷温剤収納室を拡張する飲料容器用アタッチメントであって、前記飲料容器の底面部に係合して当該アタッチメントを前記飲料容器に支持可能とする係合手段と、内部に冷温剤を装填可能でかつ前記下部開口を通じて前記冷温剤収納室と連通する拡張室とを備えた。
【００３５】
本発明の飲料容器用アタッチメントは、前記本発明に係る第一の飲料容器と同様の構造（容器本体部、容器蓋体および冷温剤収納室）を有する飲料容器に装着して、冷温剤収納室の容量を増大させるものである。
【００３６】
冷温剤収納室は、容器本体部内に突出するように備えられるから、冷温剤収納室を大きくすればその分、容器本体部の容積は小さくなり、収納できる飲料の量は減ってしまう。一方、収容可能な飲料の量を増やすために冷温剤収納室を小さくすればその分、冷却（又は加温）能力は低下せざるを得ない。そこで、本発明では、冷温剤収納室を増設できるようにし、冷却（又は加温）能力を高めることを可能とした。
【００３７】
具体的には、当該アタッチメントは上記係合手段によって飲料容器の底面部に支持され、飲料容器の冷温剤収納室と連通する拡張室を備えている。このアタッチメントは着脱自在に飲料容器に装着できるように上記係合手段を構成することが好ましい。このように着脱自在とすれば、例えば飲料の冷え又は加温が足りない場合に別のアタッチメントを付け替えることで、あるいはアタッチメントを外して冷温剤を交換することで、飲料をより低温（又は高温）に、あるいは長時間に亘って冷却（又は加温）することが可能となる。
【００３８】
上記係合手段の具体的構成としては、例えば、飲料容器の下部開口部分に螺子を形成し、この螺子に螺合可能な螺子を当該アタッチメントに設ければ良い。また、螺子によらず、嵌合その他の係合構造であっても良い。
【００３９】
また、当該アタッチメントは、上記拡張室内に装填される冷温剤へ添加する添加剤を収納可能な添加剤収納室をさらに備え、この添加剤収納室内に収納された添加剤を、前記拡張室内に装填された冷温剤に対して混合可能としても良い。この添加剤ないし添加剤収納室は、前記本発明の第一の飲料容器に備えた添加剤ないし添加剤収納室と同様のもので、アタッチメント内に拡張室から隔てられた空間（部屋／添加剤収納室）を形成し、この空間内に添加剤を収納可能とする一方、一定の操作によってこの空間と拡張室とを連通させ添加剤を拡張室内に投入可能としたものである。
【００４０】
添加剤収納室の一構成例としては、当該アタッチメントの底面部に添加剤収納室を備え、この添加剤収納室が、拡張室から当該添加剤収納室を隔てる破断可能な閉塞シートを上面部に備える一方、可撓性（又は弾性）を有する底板部を当該アタッチメントの底面に備え、前記底板部を押圧して変形させることにより前記閉塞シートを破断可能とする。
【００４１】
添加剤収納室には、例えば塩化ナトリウムを主成分とする融点降下剤を収納する。また当該融点降下剤は、例えば錠剤または水溶性カプセルに装填されたものである。あるいは、融点降下剤が顆粒または粉末であり、上記閉塞シートを破断可能な剛性を有するトレイを添加剤収納室に配し、このトレイに融点降下剤を収納しても良い。
【００４２】
さらに上記トレイは、添加剤収納室の一端部において支持軸により回動自在に支持されており、前記底板部を押圧して変形させると当該支持軸を中心として回動し、これにより前記閉塞シートを破断するようにしても良い。このように支持軸でトレイを支持すれば、トレイが冷却室に投入されず、添加剤のみを冷却室に加えることが可能となる。
【００４３】
また上記トレイの上面部に、前記支持軸が設けられたトレイの一端部側からトレイの略中心部に向け略水平に張り出すシート破断刃を備え、これにより前記支持軸を中心とした前記トレイの回動動作に伴い、シート破断刃が閉塞シートを破断するようにしても良い。このようなシート破断刃を設ければ、より容易に閉塞シートを破断させて添加剤を冷温剤に加えることが可能となる。このシート破断刃の好ましい態様としては、例えばトレイの中心部に向け先端が尖った略扇型の平面形状を有するものとする。なお、かかるシート破断刃は、トレイに固定されていても良いし、トレイの上面に配置されることとなる閉塞シートの下面に固定しておいても良い。
【００４４】
さらに、上記拡張室の外周面に断熱材を備えることも出来る。このような構造によれば、拡張室内の冷温剤を保冷（又は保温）することができ、外部から熱が流入（又は外部へ熱が放散）して冷温剤が温まり（又は冷める）ことを防ぐことが出来る。また、収納した冷温剤によってアタッチメントが冷たく（又は熱く）なって手で持てないような事態が生じることを防ぐことが可能となる。
【００４５】
また、本発明に係る別の飲料容器は、飲料を取り出す上部開口を有し内部に飲料を収容可能な容器本体部と、前記上部開口を閉塞する容器蓋体と、冷温剤を内部に収納可能でかつ前記容器本体部の底面側から前記容器本体部の内部に突出するように形成されかつ上端が閉塞されかつ前記容器本体部の底面部に開口して前記冷温剤を装填することを可能とする下部開口を下端に有する冷温剤収納室とを備える飲料容器と、上記本発明に係るいずれかの飲料容器用アタッチメントとを備えた。
【００４６】
さらに本発明に係る容器入り飲料は、上記本発明に係るいずれかの飲料容器の容器本体部に飲料を収納したものである。なお、この飲料はその種類を特に限定されず、例えば前述した様々な飲料（果実飲料・ミネラルウォーター・茶類・乳清飲料等の清涼飲料、アルコール飲料、流動状食品その他）であって良い。
【発明の効果】
【００４７】
本発明に係る飲料容器によれば、飲料パッケージ内に収容した飲料の冷却・保冷および加温・保温をより一層良好に行うことが出来る。
【００４８】
本発明の他の目的、特徴および利点は、図面に基づいて述べる以下の本発明の実施の形態の説明により明らかにする。尚、各図中、同一の符号は、同一又は相当部分を示す。
【発明を実施するための最良の形態】
【００４９】
〔第１実施形態（ペットボトル／下蓋）〕
図１から図４は、本発明の第一の実施形態に係るペットボトル（飲料容器）を示すものである。これらの図に示すようにこのペットボトルは、従来のペットボトルと同様にポリエチレンテレフタラート（polyethylene terephthalate）を主成分とする材料からなり上端に開口（飲み口）２を備えたボトル本体１と、飲み口２を閉塞するスクリューキャップ（ねじ込み蓋）３とを備えている。ボトル本体１には、従来のペットボトルと同様に各種の飲料を入れることが可能で、飲み口２はキャップ３により閉塞する。飲料の購入者は、従来と同様にキャップ３を開け、飲み口２を通じてボトル本体１内の飲料を飲むことが可能である。
【００５０】
一方、本実施形態に係るペットボトルは、ボトル底面からボトル本体１の内部に突出する冷却室１１を備える。この冷却室１１は、ボトル底面の中心部から飲み口２に向け略垂直上方に起立する隔壁１０をボトル本体１と一体成形することにより形成したもので、ボトルの内径より小さな略一定の外径を有する円筒状の全体形状を呈し、ボトル底面から飲み口２の下部近傍位置にまで達して上端が閉塞され、かつ下端がボトル底面に開口している。隔壁１０は、ボトル本体１の底板４と連続しており（一体であり）、したがってボトル本体内部の飲料が冷却室１１内に浸入したり、逆に冷却室１１内の冷却剤がボトル本体１の内部に浸入することはない。
【００５１】
上記冷却室１１下端の下部開口１２は、上記飲み口２を閉塞するスクリューキャップ（以下、上蓋と言う）３とは別のスクリューキャップ（以下、下蓋と言う）１５を装着することにより閉塞する。この下蓋１５の内面には、冷却室１１内に入れる氷水が漏れることがないように、パッキン１７を備えて水密構造とする。またこの下蓋１５は樹脂により形成すると共に、その底板１６を肉薄にかつ下方へ湾曲するような形状としてあり、これにより当該底板１６を凹ませることが可能である。またこの凹ませた力を取り除くと底板１６は元の下方へ膨らんだ状態に復帰する。なお、この下蓋１５（後に述べる下栓２５も同様）は、ボトルを立てるのを邪魔しないようにボトル底面より下方へ突出しないようにする。また、下蓋１５の周囲には、当該下蓋１５を回しやすいようにボトル底板４との間に隙間を形成する。
【００５２】
冷却室１１には、冷却剤として例えば氷（図示せず）を入れることができ、これによりボトル本体１の内部の飲料を冷却しまた保冷することが出来る。また、当該氷と共に塩（塩化ナトリウム）を入れても良く、このようにすれば冷却効率を高めることが出来る。さらに、上述したように下蓋１５はその底板１６を繰り返し凹ませることが可能であるから、冷却室１１内に氷を入れ、これが融けて氷水となったときに、例えば指で下蓋１５の底板１６を繰り返し押圧することで冷却室１１内の氷水を攪拌することができ、冷却効率をより一層高めることが出来る。
【００５３】
本実施形態のペットボトルは、ボトルの全体形状としては既存のペットボトルと略同一の形状・寸法を有する。したがって、店頭での商品陳列や自動販売機への搬入において既存の陳列棚や自動販売機を何ら変更することなくそのまま利用することが可能である。また本実施形態のボトルは、ボトル本体１ならびに冷却室１１を画成する隔壁１０が共に透明（透光性を有する）であり、冷却室１１自体ならびに冷却室１１内の氷をボトル外部から見ることが出来る。
【００５４】
〔第２実施形態（ペットボトル／下栓）〕
図５から図７は、本発明の第二の実施形態に係るペットボトルを示すものである。これらの図に示すようにこのペットボトルは、前記第一の実施形態に係るペットボトルと同様のボトル本体１と上蓋３とを備え、ボトル底面からボトル本体１の内部に突出する冷却室１１を有するものであるが、冷却室１１の下部開口１２を閉塞する下蓋１５の代わりに、当該下部開口１２内に挿入される栓（以下、下栓と言う）２５を設け、この下栓２５により冷却室１１の下部開口１２を閉塞したものである。
【００５５】
またこの下栓２５は、周面にネジを形成したスクリュー栓であり、このネジと螺合するネジを冷却室１１の下端部内面に形成することで、下栓２５を冷却室１１の下端部にねじ込むことが可能とした。さらにこの下栓２５と冷却室１１の下端開口１２との間には、前記第一実施形態の下蓋と同様にパッキン１７を設け、これにより冷却室１１内の氷水が漏れることがないように水密構造としてある。また、下栓２５の下面には、下方へ突出しかつ当該下栓下面の中央部を左右に（直径方向に）縦断するように延びるつまみ部２６を設けてあり、このつまみ部２６を例えば指でつまんで回すことによって下栓２５を容易に回転させて下栓２５を開閉することが可能である。
【００５６】
さらに、図８は本実施形態のペットボトルの変形例を示すものである。この図に示すように、上記冷却室の隔壁１０を波状に形成することで凹凸１０ａを設ければ、隔壁１０の表面積、すなわち冷却室１１（内部に収容した冷却剤）とボトル本体１（ボトル本体内に収容した飲料）との接触面積を増大させることが出来るから、より良好な冷却効果を得ることが出来る。他の実施形態においても同様である。
【００５７】
〔第３実施形態（ペットボトル／保冷部材）〕
図９および図１０は、本発明の第三の実施形態に係るペットボトルを示すものである。これらの図に示すようにこのペットボトルは、前記第一および第二の実施形態に係るペットボトルと同様にボトル本体１と上蓋３とを備え、ボトル底面からボトル本体１の内部に突出する冷却室１１を有するものであるが、冷却室１１内に入れる冷却剤として冷却部材３１を備える。
【００５８】
この冷却部材３１は、冷却室１１と略一致する外形形状を有する（冷却室１１に挿入可能なように冷却室１１の内径より略同一（若干小さな）外径寸法を有する）円筒状の冷却部材本体３２と、この冷却部材本体３２の下端部に設けた係合部３５とからなる。冷却部材本体部３２には、その内部に保冷剤３３を装填してあり、当該冷却部材３１を例えば冷蔵庫で冷やしておけば、冷却部材本体部３２は内部に装填してある保冷剤３３によって一定時間冷却された状態にある。
【００５９】
一方、係合部３５は、前記第二実施形態の下栓２５と同様に、その外周面にネジを形成すると共に、その下面にはつまみ部３６を設けてある。また本実施形態においても冷却室１１の下端部内面に係合部３５のネジと螺合するネジを形成する。したがって、冷却室１１に保冷部材本体部３２を差し込み、さらに係合部３５を冷却室１１の下部開口にねじ込むことによって当該保冷部材３１を容易にペットボトルに装着することができ、これによりボトル本体１に収容した飲料を冷却することが出来る。
【００６０】
〔第４実施形態（ペットボトル／圧縮ガス）〕
図１１および図１２は、本発明の第四の実施形態に係るペットボトルを示すものである。これらの図に示すようにこのペットボトルは、前記第一から第三の実施形態に係るペットボトルと同様にボトル本体１と上蓋３とを備え、ボトル本体１の中心部に冷却室１１を有するものであるが、冷却剤として圧縮ガスを使用する。
【００６１】
具体的には、前記第一から第三の実施形態に係るペットボトルと同様にボトル底面の中心部から当該ボトル底面を上方に突出させるようにして冷却部を形成する。この冷却部は、ボトル底面（底板４）と一体に連続してボトル底面から立ち上がる隔壁１０により内部が空洞の円筒状の形状をなし、飲み口２の下部位置にまで達して上端を閉塞し、下端は開口としてある。この下部開口には、内部に圧縮ガスを充填した小型ガスボンベ４１を挿入することが出来る。小型ガスボンベ４１の周面にはネジを形成する一方、このネジに螺合するネジを冷却部（隔壁１０）の下端部内周面に形成してあり、小型ガスボンベ４１を下部開口にねじ込むことが出来る。
【００６２】
また、このガスボンベ４１を装着する冷却部下端部の上部には、ガスボンベ４１から放出されるガスを受け入れる冷却室１１を設ける。この冷却室１１は、下端に小孔３９を備えており、ガスボンベ４１を冷却部の下部開口にねじ込むと、当該小孔３９にガスボンベ４１のノズル４２が当接して当該小孔３９を通じて冷却室１１内にガスボンベ４１内のガスが放出される。冷却室１１内に放出された圧縮ガスは膨張し、これにより冷却室１１が急速に冷却される。ガスボンベ４１の下面には、回転（ねじ込み）操作をしやすいように前記下栓２５と同様につまみ部４３を設けてある。
【００６３】
ガスボンベのノズル機構は、殺虫剤や各種スプレー製品に使用されている従来のノズル構造を適用することにより構成することが可能である。圧縮ガスの種類は特に限定されない。例えば二酸化炭素ガスや不活性ガス等を利用することが出来る。ガスボンベ４１を緩めておけば（最上位置までねじ込まないで下部開口の途中位置までねじ込んでおく）、ノズル４２が冷却室の小孔３９に係合しないから、ボンベ内の圧縮ガスが放出されず、したがって冷却を一時中断するようなことも可能である。
【００６４】
さらに本実施形態（図１２）では、隔壁１０の内部に冷却室１１を設けてボトル本体内部（飲料）と冷却室内部（ガス）との間に２つの壁体が介在されているが、当該壁体を一枚にすること（冷却室の周壁１１ａは設けずに底面の壁体１１ｂのみを設ければ良い）も可能である。このようにすれば、飲料と冷却ガスとの間の熱交換効率を向上させることが出来るから、より良好に飲料を冷却することが出来る。
【００６５】
〔第５実施形態（ガラスビン／下蓋）〕
図１３から図１６は、本発明の第五の実施形態に係る飲料容器である飲料用のガラスビンを示すものである。本発明はペットボトルに係る前記各実施形態と同様にガラスビンに対しても適用可能であり、本実施形態はこの例に係るものである。
【００６６】
具体的には、本実施形態のガラスビンは、前記第一実施形態に係るペットボトルと同様に、ビンの底をビン内に突出させるようにして隔壁１０によって冷却室１１を形成し、この冷却室１１の下部開口を閉塞する下蓋１５を設ける。これら冷却室１１および下蓋１５の構造は前記第一実施形態と同一であるから同一の符号を付して重複した説明を省略する。ガラスビンの全体形状は、例えば既存のビールビンや各種清涼飲料・アルコール飲料のビンと同一の形状とすることが出来る。
【００６７】
〔第６実施形態（ガラスビン／下栓）〕
図１７から図１９は、本発明の第六の実施形態に係るガラスビンを示すものである。これらの図に示すように、ガラスビンにおいても前記第二実施形態と同様に冷却室１１の下部開口を閉塞する手段として下蓋１５に代え、栓２５を設けることが可能である。
【００６８】
〔第７実施形態（缶／下蓋）〕
図２０から図２３は、本発明の第七の実施形態に係る飲料容器である缶を示すものである。これらの図に示すようにこの缶はアルミニウムからなる２ピース缶であり、缶の周面を形成する周壁６と底面を形成する底板４とが連続したアルミニウム板により成形されている。さらに本実施形態の缶では、底板４に連続して缶の内部に立ち上がるように隔壁１０を形成して冷却室１１を構成し、この冷却室１１の下部開口を閉塞する下蓋１５を設ける。これら隔壁１０ないし冷却室１１、下蓋１５の各構造は、前記第一実施形態のボトルと同様であるから、同一の符号を付して重複した説明を省略する。
【００６９】
缶の全体形状は、既存の飲料缶と同様であり、上面には開栓タブ５を備えている。缶を構成する材料は、アルミニウム以外にもスチールその他の金属を使用することも可能である。さらに２ピース缶に限らず、３ピース缶であっても構わない。
【００７０】
〔第８〜第１０実施形態（缶／下栓・保冷部材・圧縮ガス）〕
缶容器においても、前記第二実施形態と同様に冷却室１１の下部開口を閉塞する手段として栓２５を使用すること（第八実施形態／図２４参照）、また前記第三実施形態と同様に冷却室１１に保冷部材３２を装着するようにすること（第九実施形態／図２５参照）、さらに冷却剤として圧縮ボンベ４１に充填した圧縮ガスを使用するようにすること（第十実施形態／図２６参照）がそれぞれ可能である。
【００７１】
〔第１１実施形態（融点降下剤添加部）〕
図２７から図２８は、本発明の第十一の実施形態に係る飲料容器の底面部を示すものである。前記第一実施形態の説明において冷却室１１内の冷却剤（氷）に塩化ナトリウム（融点降下剤）を加えても良いことを述べたが、冷却剤に加えるこのような添加剤を予め容器に備えておくことが可能であり、その構造の一例を示すのが本実施形態である。
【００７２】
具体的には、上記図２７から図２８に示すように冷却室１１の下端に設けた下部開口１２を閉塞する前記下蓋１５に代え、下部開口１２を閉塞する蓋体として添加剤７５を備えた添加剤入りキャップ７１を設ける。この添加剤入りキャップ７１は、図２８に示すように下部開口１２を閉塞すると共に添加剤７５の収納室７２を形成する添加剤包装体７９と、この添加剤包装体７９を下部開口１２に押え付けて固定する押えキャップ７７と、添加剤包装体７９と下部開口１２との間に介在して下部開口１２から水が漏れないように水密を行うパッキン７８とを備えている。
【００７３】
添加剤包装体７９は、例えば錠剤を包装するために使用されているＰＴＰ包装（Press Through Package）と同様の構造を採ることが可能で、添加剤７５を収納可能に凹んだ凹部７３ａと、当該凹部７３ａの上縁から周囲に張り出したフランジ部７３ｂとを備えたハット状の樹脂カバー７３と、前記凹部７３ａを閉塞するように当該樹脂カバー７３の上面に貼着した非透水性フィルム（閉塞シート）７４とからなり、前記樹脂カバー７３の凹部７３ａ（添加剤収納室７２）に添加剤（塩化ナトリウム）７５を収納する。樹脂カバー７３は可撓性を有し、押圧力を加えることにより凹ませることが可能である。また、非透水性フィルム７４は、例えばアルミニウムフィルムにより構成することができ、水を通さない一方で、樹脂カバー７３（凹部７３ａ）を押圧することで添加剤７５によって突き破ることが可能である。
【００７４】
包装体に収納する添加剤（塩化ナトリウム）７５は、錠剤状に加工したものであればそのまま当該包装体７９に収納して構わない。一方、添加剤が粉末または顆粒状の場合には、非透水性フィルム７４を容易に突き破ることが出来るように、剛性を有するトレイ７６に収納した後に包装体７９に格納すれば良い。
【００７５】
冷却室１１の下端部外周面には螺子（雄ねじ）Ｓ２を形成してあり、押えキャップ７７はこの螺子Ｓ２と螺合する螺子（雌ねじ）Ｓ１を内周面に備えている。また押えキャップ７７は前記包装体７９の凹部７３ａを通すことが可能な孔７７ａを底面に備えており、この孔７７ａに上記凹部７３ａを通して当該凹部７３ａを押えキャップ７７の底面より下方へ突出させることを許容する一方で、上記包装体７９のフランジ部７３ｂを下部開口１２の縁部底面に押し付け、これにより添加剤包装体７９を下部開口１２に固定する。
【００７６】
この固定状態では、樹脂カバー７３の上面に貼着した非透水性フィルム７４が下部開口１２に押し付けられると共に、当該非透水性フィルム７４と下部開口１２の縁部底面との間にパッキン７８が介在され、これにより下部開口１２が水密状態に閉塞される。添加剤７５を冷却剤１１に投入するには、容器底面から、添加剤包装体７９の凹部７３ａを押圧し、添加剤７５または剛性トレイ７６によって非透水性フィルム７４を突き破って冷却室１１内に添加剤７５を押し込めば良い。
【００７７】
なお、本実施形態では、容器の底面部のみを示し、容器の上部を図示していないが、容器上部は様々な形状・材質を有するものであって良い。例えば、前記第一実施形態（図１〜図４）のようなペットボトルであっても良いし、第五実施形態（図１３〜図１６）のようなガラスビン、あるいは第七実施形態（図２０〜図２３）のような金属缶、ペットボトルのように上端に径が細くなったネック部を有する金属缶（いわゆるスタイニーボトル又はペットボトル型の金属缶ボトル）その他であっても構わない。
【００７８】
〔第１２実施形態（アタッチメントを備えた金属ボトル）〕
図２９から図３０は、本発明の第十二の実施形態に係る飲料容器を示すものである。これらの図に示すようにこの飲料容器は、ペットボトルのように容器上端の飲み口部分にネック部を備えた金属ボトル（樹脂ボトルでも良い）からなるもので、前記第一実施形態と同様に、ネック部に飲み口とこれを閉塞する上蓋３とを備え、飲料を入れるボトル本体（飲料容器本体）１の内部に容器底面から突出するように冷却室１１を備えるものである。なお、上記図２９ならびに後述の図３１〜３４は、前記図４等と同様に容器およびアタッチメントの内部構造を概念的に示すものであるが、前記図４等とは異なり、ボトルやアタッチメントの肉厚を表示せず、単なる線で示している。
【００７９】
一方、この実施形態のボトルでは、ネック部に回転リング５１を備える。この回転リング５１は、上蓋３の直下位置に回転自在に取り付けてあり、このリング５１を把持すればボトル本体１を容易に回転させることが出来る。なお、この種のボトルでは従来から上蓋３を封止するために封止リング３ａが設けられており、本実施形態ではこの封止リング３ａとは別に回転リング５１を設けたが、例えば封止リング３ａを幅広に形成して封止リング３ａが当該回転リング５１を兼ねるようにしたり、あるいは従来の封止リング３ａに被せるように回転リング５１を設けることも可能である。なおこのような構造とする場合には、ボトル１の回転操作にあたって、上蓋３を一旦開封して封止リング３ａ（回転リング５１）が自由に回るようにすれば良い。
【００８０】
さらに本実施形態では、冷却室１１の下部開口１２に装着可能なアタッチメント６１を備える。このアタッチメント６１は、冷却室１１を拡張することを可能とするもので、冷却剤（図示せず）を収容する拡張室６２を形成するための円筒状の本体部６３と、この本体部６３の上面に円筒形状をなすように突出しかつ上端に接続用の開口６６を有して冷却室１１と拡張室６２とを連通させる接続部６４とを備えている。冷却室１１の下端部（下部開口１２）の内周面には螺子Ｓ１を形成してあり、この螺子Ｓ１と螺合する螺子Ｓ２をアタッチメント６１の接続部６４の外周面に形成してある。したがって、接続部６４を冷却室１１（下部開口１２）にねじ込むことによりアタッチメント６１を下部開口１２に固定することが可能である。
【００８１】
また、アタッチメント６１とボトル本体１との間にはパッキンＰを介在させ、ボトル本体１とアタッチメント接続部６４との間から水が漏れることを防ぐ。より具体的には、アタッチメント本体部６３の上面の接続部６４の周囲を取り囲むようにリング状のパッキンＰを設けてあり、このパッキンＰが上記下部開口１２へのアタッチメント６１のねじ込み操作に伴ってボトル本体１の底面に押し付けられるように構成すれば良い。なお、かかる水密構造はこの例のほかにも様々な方法を採ることが可能であり、この例に限定されるものではない。
【００８２】
さらに、アタッチメント６１の底面部には、冷却剤に加える添加剤７５を予め備えておく。この添加剤７５を収納する添加剤収納部７１は、例えば前記第十一実施形態と同様の原理（構造）を有するものとすれば良い。具体的には、例えば図３０に拡大して示すように、アタッチメント本体部６３の底板に開口を設けると共に当該底板を本体部の内部に向け立ち上げて添加剤７５を収容可能な空間（添加剤収納室）７２を形成する。そして、この添加剤収納室７２の上面を非透水性フィルム７４で覆うことにより添加剤収納室７２と拡張室６２とを隔てる一方、当該収納室７２の下面（アタッチメント本体部６３の底板に形成した前記開口）を、可撓性（あるいは伸縮性）を有するシート７３によって閉塞する。添加剤収納室７２の内部には、錠剤状の、あるいはトレイ７６に収容した顆粒又は粉末状の添加剤７５を収納する。これにより、シート７３を上方へ押圧することにより、収納室７２内に格納した添加剤７５を押し上げ、非透水性フィルム７４を突き破って拡張室６２内に添加剤７５を送り込むが出来る。
【００８３】
また、アタッチメント本体部６３（拡張室６２）と繋がる接続部６４の下端部（本体部６３との接合部）６７は、全周に亘って角を丸めた（所謂アールを付けた）形状としてある。これは、拡張室６２内の氷をスムーズにボトル本体１の冷却室１１に送り込めるようにするためである。特に、拡張室６２内に多量の四角い（立方体状の／角張った）氷を入れた場合に、この丸めた角部６７によって引っかかりなく円滑に冷却室１１と拡張室６２との間で氷を行き来させることが出来る。
【００８４】
さらにこの実施形態では、上記添加剤収納部７１が拡張室６２の底面中央部において台地のように（台形状に）上方に突出しており、拡張室６２の底面が平坦ではない。したがって、拡張室６２内に氷を入れた場合に、底面が平坦な場合と比べて氷がひと塊になり難い利点がある。拡張室６２内の氷が固まって大きくなると、下部開口１２（接続部６４）を通過できず、冷却室１１に氷を供給できなくなる事態が生じ得るが、本実施形態のアタッチメント構造によればこのような事態を防ぐことが出来る。
【００８５】
さらに、図３４に示すようにアタッチメント６１には、その周囲に断熱材６８を配しても良い。このような構造によれば、拡張室６２内の氷を保冷することでより長時間に亘って飲料を冷却できると共に、アタッチメント６１の外面が低温にならないから当該飲料容器を手で持ちやすくすることができ（特に融点降下剤を添加した場合にはアタッチメント６１が０℃より低い低温状態となる）、使用感に優れたものとすることが出来る。なお、アタッチメント６１自体を断熱性の高い材料（例えば断熱性の大きな樹脂など）により構成しても同様の効果を得ることが出来る。
【００８６】
ボトルの全体形状は、前記第十一実施形態で述べたのと同様に、図示の例のほかにも様々なものであって良い。また、上記アタッチメント６１は、例えば前記第二実施形態（図５）や第八実施形態（図２４）の下栓２５に代えて接続部６４を冷却室１１の下部開口１２にねじ込めるようにすれば、本実施形態と同様に他のボトルや缶などに装着することが可能である。アタッチメント６１は、ボトルと一緒に提供しても良いし、ボトルとは別にアタッチメント６１を単独で提供しても良い。例えば、拡張室６２内に氷を入れた状態で氷と共にアタッチメント６１を販売することが出来る。この場合、接続部６４の上端開口６６は、蓋や栓を設けることにより閉塞しておけば良い。
【００８７】
〔第１３実施形態〕
図３１は、本発明の第十三の実施形態に係る飲料容器を示すものである。この実施形態の飲料容器は、前記第十二実施形態の容器と同様に、ボトル本体１の内部に冷却室１１を備え、これを拡張可能なアタッチメント６１を備えるものであるが、冷却室１１をボトル本体１の底面より下方に突出するように長くし、この延長部１０ｂにアタッチメント６１の接続部６４を装着できるようにしたものである。前述したように、冷却室１１を大きくすると冷却効率は良好となる一方でボトル本体１に入れられる飲料の量は少なくなってしまうが、本実施形態によれば冷却室１１をボトル本体１の下面に突出させた延長部１０ｂを設けることで、ボトル本体内部の容量を確保しつつ、冷却能力を向上させることが可能となる。
【００８８】
なお、かかる延長部１０ｂの創設に伴い、アタッチメント側にはアタッチメント本体部６３の上面周縁から上方に立ち上がる円筒状の周壁パネル６５を設けた。この周壁パネル６５は、上記延長部１０ｂならびにアタッチメント６１の接続部６４を覆うものであり、周壁パネル６５の上縁部に、ボトル本体１の周壁下縁部と係合する嵌合機構（図示せず／例えば後述の第１５実施形態（図３３）と同様）を設けても良い。
【００８９】
〔第１４実施形態〕
図３２は、本発明の第十四の実施形態に係る飲料容器を示すものである。この実施形態の飲料容器は、前記第十二ないし第十三の実施形態に係る容器と同様に、ボトル本体内部に冷却室１１を備え、下部開口１２を通じてこれを拡張可能なアタッチメント６１を備えるものであるが、ボトル本体１とアタッチメント６１との接続構造について、ボトル本体側を雄螺子Ｓ２、アタッチメント側を雌螺子Ｓ１としたものである。すなわち、ボトル本体１の底面中央部にアタッチメント接続部６４を挿入する空間Ｓを設け、この空間Ｓ内に、冷却室１１を形成する隔壁１０を下方へ延長して円筒状の接続部を形成してこの接続部の外周面に螺子Ｓ２を形成する。そして、この螺子Ｓ２に螺合する螺子Ｓ１をアタッチメント側の接続部６４の内周面に形成し、アタッチメント側の接続部６４をボトル本体側の接続部に被せるようにねじ込むことでボトル本体１とアタッチメント６１とを接続するようにした。
【００９０】
〔第１５実施形態〕
図３３は、本発明の第十五の実施形態に係る飲料容器を示すものである。この実施形態の飲料容器は、前記第十二から第十四の実施形態に係る容器と同様に、ボトル本体内部に冷却室１１を備え、下部開口１２を通じてこれを拡張可能なアタッチメント６１を備えるものであるが、ボトル本体１の外周から当該ボトル本体１の外径と略同一の（ボトル本体１の外径に比べ若干小さな）外径を有して下方へ延びる円筒状のスカート部６９を備え、アタッチメント６１は有底無蓋の円筒カップ状の形状を呈して前記スカート部６９に被せるように嵌合する。
【００９１】
また、ボトル本体１の下縁部外周面と、アタッチメント６１の上縁部内面とにはそれぞれ、互いに嵌合する嵌合機構（例えば溝と突起、あるいは雄螺子と雌螺子など）Ｓ３を設けてある。さらに、スカート部６９の下縁部外周面と、アタッチメント６１の側壁下端部の内面とにはそれぞれ、互いに螺合する螺子Ｓ２，Ｓ１を設けてあり、アタッチメント６１をスカート部６９に被せてねじ込むことでアタッチメント６１をスカート部６９に固定できるようにしてある。
【００９２】
また、拡張室６２の底面周縁（アタッチメント６１の底板上面の周縁部）には、リング状のパッキンＰを設けてあり、上記螺子Ｓ２，Ｓ１を螺合させてアタッチメント６１をスカート部６９に装着した場合に、スカート部６９の下端がこのパッキンＰに当接することにより水密状態となり、拡張室６２内の水が外部に漏れ出すことを防ぐことが出来る。
【００９３】
本実施形態は特にこの使用例に限定されるものではないが、例えばファーストフード店やアミューズメントパークその他様々な店舗において、店頭でスタッフ（店員）が容器を逆さに持ってスカート部６９ならびに冷却室１１に氷を装填した後、アタッチメント６１を蓋をするようにスカート部６９に被せて装着し、顧客に冷たい飲料を提供するような使用態様を採ることが出来る。
【００９４】
〔第１６実施形態（融点降下剤添加部の変形例）〕
図３５から図３８は、前記第十一実施形態の変形例（第十六実施形態）に係る飲料容器の底面部を示すもので、この実施形態は、冷却室１１に投入可能に添加剤７５を飲料容器に備える構造に係るものである。具体的には、上記図３５から図３８に示すようにこの実施形態では、前記第十一実施形態と同様に、添加剤入りキャップ８１が、冷却室１１の下端開口部にねじ込むことが出来る押えキャップ７７を備え、破断可能な非透水性フィルム７４とパッキン７８とにより下部開口１２を水密状態に閉塞する。
【００９５】
しかしながら、この実施形態では、前記樹脂カバー７３並びにトレイ７６に代えて、添加剤７５を収納する凹部８３ａを半球状に形成した樹脂カバー８３と、この樹脂カバー８３の内部に丁度納まる半球状のトレイ８６とを設け、この半球状のトレイ８６の中に添加剤７５を格納した。半球状トレイ８６は、樹脂カバー８３の一端部において、トレイ８６の外面から左右に水平に張り出す支持軸８６ｃと、樹脂カバー８３のフランジ部８３ｂの上面に形成したこれら支持軸８６ｃを受け入れる軸受溝８３ｃとにより支持され、当該支持軸８６ｃを中心として上方に（冷却室１１内に向け）回動することが出来る。
【００９６】
また、これら支持軸８６ｃを設けたトレイ８６の一端部には、トレイ８６の中心に向け水平に張り出す破断刃８６ａを設けてある。この破断刃８６ａは、先端が鋭角に尖った扇形の平面形状を有しており（図３６参照）、樹脂カバー８３の凹部８３ａを凹ませてトレイ８６を回動させたときに当該トレイ８６と共に回動し、その先端が非透水性フィルム７４を突き破る（図３８参照）。これにより、トレイ７４内に格納した添加剤７５を冷却室１１内に投入することが可能である。なお、トレイ８６自体は、上記支持軸８６ｃにより樹脂カバー８３に支持されているから、冷却室１１内に投入されることはない。また切断刃８６ａは、トレイ８６に固定せず、非透水性フィルム７４の下面に配置してトレイ８６の回動操作に伴って同様に回動してフィルム７４を破るようにしておいても良い。
【００９７】
本実施形態に係る添加剤添加部８１は、前記第十一実施形態と同様に、前述した各アタッチメント６１に対しても適用することが可能である。
【００９８】
〔各実施形態に共通の付加的な構成〕
前記各実施形態ならびに本発明に係る飲料容器ないしアタッチメントでは、例えば次のような構成を付加することが出来る。
【００９９】
（１）  ボトル本体部およびアタッチメントのいずれか一方または双方を透明にし、あるいは透明の窓を設ける。特にアタッチメントを透明にし又は透明部を設けることで、内部に氷が充填されていることが外部からも視認することができ、視覚的にも飲料が冷えていることを顧客に印象付けることが出来る。
（２）  アタッチメントないしボトル本体の外周面には、当該飲料容器ないしアタッチメントの使用方法の説明・注意書き・アタッチメントの装着方向を示す矢印表示・広告その他の表示を行うことが出来る。
（３）  一定の温度以下、又は一定の温度以上になったことを表示する表示部をボトル本体やアタッチメントの外面に設ける。例えば、感温物質を利用してボトル内部ないしアタッチメント内部の温度に対応した表示を、特定のサインや色彩変化等により行うことが出来る。
【０１００】
以上、本発明の実施の形態について説明したが、本発明はこれらに限定されるものではなく、特許請求の範囲に記載の範囲内で種々の変更を行うことができることは当業者に明らかである。
【０１０１】
例えば、容器を構成する材料は実施形態以外の材料を使用することも可能である。形状についても同様に他の形状としても構わない。ペットボトルに係る実施形態（第一から第四実施形態）では、横断面が略正方形の角型ボトルを構成したが、他のボトル形状とすることも勿論可能で、例えば横断面が円形の丸型ボトルや、横断面が長方形の直方体型ボトル、円柱型のボトル、串団子状・ダイヤモンドカット形・くびれた竹筒の形などの特殊形状のボトル等、様々な形状を採用することが出来る。ボトルの大きさ・容量についても特に限定されない。上部開口を閉塞する容器蓋体の形状や閉塞構造（スクリュー式か嵌合式かかしめて装着するタイプか等）についても様々なものとして良い。
【０１０２】
また前記各実施形態では、冷却ないし保冷用の容器を想定したが、例えば冷却室に湯を入れることにより加温・保温用の容器とすることも可能である。また、透明あるいは半透明の容器および冷却室を構成できる前記ペットボトルないしガラスビンにおいては、例えば下蓋あるいは下栓にＬＥＤ（および電池）を設け、冷却室内を照明できるようにしても良く、このような容器構造によれば、従来にない斬新なデザインの飲料容器を構成することが出来る。また、下部開口から（下蓋を貫通して）冷却室内に伸びる棒状の部材を設け、この棒状部材により冷却室内の冷却剤を攪拌することが出来るようにしても良い。
【０１０３】
さらに、実施形態に示した以外の飲料容器、例えば紙製容器（紙パック）についても、前記実施形態と同様の冷却部を設けて容器内に収容した飲料を冷却できるようにすることが可能である。
【０１０４】
また冷温剤に混合する添加剤は、塩化ナトリウム以外の融点降下剤であっても良いし、冷温剤が飲料を温めるものであれば、当該冷温剤の温度を高める物質（例えば発熱剤）であっても良い。
【図面の簡単な説明】
【０１０５】
【図１】本発明の第一の実施形態に係る飲料容器（ペットボトル）を示す正面図である。
【図２】前記第一実施形態に係るペットボトルを示す平面図である。
【図３】前記第一実施形態に係るペットボトルを示す底面図である。
【図４】前記第一実施形態に係るペットボトルを示す縦断面図である。
【図５】本発明の第二の実施形態に係る飲料容器（ペットボトル）を示す正面図である。
【図６】前記第二実施形態に係るペットボトルを示す底面図である。
【図７】前記第二実施形態に係るペットボトルを示す縦断面図である。
【図８】前記第二実施形態に係るペットボトルの変形例を示す縦断面図である。
【図９】本発明の第三の実施形態に係る飲料容器（ペットボトル）を示す正面図である。
【図１０】前記第三実施形態に係るペットボトルを示す縦断面図である。
【図１１】本発明の第四の実施形態に係る飲料容器（ペットボトル）を示す正面図である。
【図１２】前記第四実施形態に係るペットボトルを示す縦断面図である。
【図１３】本発明の第五の実施形態に係る飲料容器（ガラスビン）を示す正面図である。
【図１４】前記第五実施形態に係るガラスビンを示す平面図である。
【図１５】前記第五実施形態に係るガラスビンを示す底面図である。
【図１６】前記第五実施形態に係るガラスビンを示す縦断面図である。
【図１７】本発明の第六の実施形態に係る飲料容器（ガラスビン）を示す正面図である。
【図１８】前記第六実施形態に係るガラスビンを示す底面図である。
【図１９】前記第六実施形態に係るガラスビンを示す縦断面図である。
【図２０】本発明の第七の実施形態に係る飲料容器（缶）を示す正面図である。
【図２１】前記第七実施形態に係る缶を示す平面図である。
【図２２】前記第七実施形態に係る缶を示す底面図である。
【図２３】前記第七実施形態に係る缶を示す縦断面図である。
【図２４】本発明の第八の実施形態に係る飲料容器（缶）を示す縦断面図である。
【図２５】本発明の第九の実施形態に係る飲料容器（缶）を示す縦断面図である。
【図２６】本発明の第十の実施形態に係る飲料容器（缶）を示す縦断面図である。
【図２７】本発明の第十一の実施形態に係る飲料容器の底面部を示す縦断面図である。
【図２８】前記第十一実施形態に係る飲料容器の底面部を底面側から見た状態を示す分解斜視図である。
【図２９】本発明の第十二の実施形態に係る飲料容器を示す概念図であり、（ａ）はアタッチメントを装着する前の状態を示し、（ｂ）はアタッチメントを装着した後の状態を示す。
【図３０】前記第十二実施形態に係る飲料容器のアタッチメントの底面部（融点降下剤収納部）を拡大して示す縦断面図である。
【図３１】本発明の第十三の実施形態に係る飲料容器を示す概念図であり、（ａ）はアタッチメントを装着する前の状態を示し、（ｂ）はアタッチメントを装着した後の状態を示す。
【図３２】本発明の第十四の実施形態に係る飲料容器を示す概念図であり、（ａ）はアタッチメントを装着する前の状態を示し、（ｂ）はアタッチメントを装着した後の状態を示す。
【図３３】本発明の第十五の実施形態に係る飲料容器を示す概念図であり、（ａ）はアタッチメントを装着する前の状態を示し、（ｂ）はアタッチメントを装着した後の状態を示す。
【図３４】前記第十二実施形態におけるアタッチメントの変形例を示す概念図である。
【図３５】本発明の第十六の実施形態（前記第十一実施形態の変形例）に係る飲料容器の底面部を底面側から見た状態を示す分解斜視図である。
【図３６】前記第十六実施形態に係る飲料容器の半球状トレイおよび樹脂カバーを裏面側（上面側／冷却室内部側）から見た平面図である。
【図３７】前記第十六実施形態に係る飲料容器の底面部（添加剤を加える前の状態）を示す縦断面図である。
【図３８】前記第十六実施形態に係る飲料容器の底面部（添加剤を加えた状態）を示す縦断面図である。
【符号の説明】
【０１０６】
１  ボトル本体（飲料容器本体）
２  飲み口
３  上蓋
３ａ  封止リング
４  ボトル本体（飲料容器本体）底板
１０  隔壁
１０ａ  凹凸
１０ｂ  冷却室の延長部
１１  冷却室
１２  下部開口
１５  下蓋
１７，７８，Ｐ  パッキン
２５  下栓
３１  冷却部材
４１  圧縮ガスボンベ
５１  回転リング
６１  アタッチメント
６２  拡張室
６３  アタッチメント本体部
６４  アタッチメント接続部
６５  円筒状周壁パネル
６６  接続開口
６７  角部（アタッチメント本体部とアタッチメント接続部との接合部）
６９  円筒状スカート部
７１，８１  添加剤収納部
７２  添加剤収納室
７３，８３  樹脂カバー（可撓性シート）
７３ａ，８３ａ  凹部
７３ｂ，８３ｂ  フランジ部
７４  非透水性フィルム
７５  添加剤（融点降下剤／塩化ナトリウム）
７６，８６  剛性（樹脂）トレイ
７７  押えキャップ
７９  添加剤包装体
８３ｃ  軸受溝
８６ａ  破断刃
８６ｃ  支持軸
Ｓ１  雌ねじ
Ｓ２  雄ねじ
Ｓ３  嵌合機構
Ｓ    空間（アタッチメント接続部の受入部）
【図１】
2008239246.tif 000003
【図２】
2008239246.tif 000004
【図３】
2008239246.tif 000005
【図４】
2008239246.tif 000006
【図５】
2008239246.tif 000007
【図６】
2008239246.tif 000008
【図７】
2008239246.tif 000009
【図８】
2008239246.tif 000010
【図９】
2008239246.tif 000011
【図１０】
2008239246.tif 000012
【図１１】
2008239246.tif 000013
【図１２】
2008239246.tif 000014
【図１３】
2008239246.tif 000015
【図１４】
2008239246.tif 000016
【図１５】
2008239246.tif 000017
【図１６】
2008239246.tif 000018
【図１７】
2008239246.tif 000019
【図１８】
2008239246.tif 000020
【図１９】
2008239246.tif 000021
【図２０】
2008239246.tif 000022
【図２１】
2008239246.tif 000023
【図２２】
2008239246.tif 000024
【図２３】
2008239246.tif 000025
【図２４】
2008239246.tif 000026
【図２５】
2008239246.tif 000027
【図２６】
2008239246.tif 000028
【図２７】
2008239246.tif 000029
【図２８】
2008239246.tif 000030
【図２９】
2008239246.tif 000031
【図３０】
2008239246.tif 000032
【図３１】
2008239246.tif 000033
【図３２】
2008239246.tif 000034
【図３３】
2008239246.tif 000035
【図３４】
2008239246.tif 000036
【図３５】
2008239246.tif 000037
【図３６】
2008239246.tif 000038
【図３７】
2008239246.tif 000039
【図３８】
2008239246.tif 000040